(57)【要約】【課題】  簡単な構成により、吸液部材の先端を容器本体内の底部周縁部に向けて配置することを可能とし、本体容器内の内容液を最後まで効率良く使い切れるようにしたガイド機構付き中栓を創出することを課題とする。【解決手段】  容器本体（１）の口筒部（２）に密嵌合する短筒状の装着部（１１）と、装着部（１１）の頂壁（１２）中央に陥没形成された凹部（１３）と、凹部（１３）の底壁（１３ａ）に垂下設され且つ内側にガイド孔（１５）が形成された長円筒状のノズル部（１４）とを有し、ノズル部（１４）が、底壁（１３ａ）から中心軸（Ｏ−Ｏ）に沿って下方に直線状に延びるノズル上部（１４Ａ）と、ノズル上部（１４Ａ）に続くノズル下部（１４Ｂ）を側方に折り曲げて形成したテーパー部（１４ｂ）と、テーパー部（１４ｂ）の一部（１４ｂ１）を開放してガイド孔（１５）を露出させる開放部（１４Ｃ）とを備える構成とする。【選択図】  図１
2014231382.tif 000002
【特許請求の範囲】
【請求項１】
内容液を吸い上げる吸液部材（Ｐ）を誘導して容器本体（１）内に導くガイド機構付き中栓（１０）であって、
容器本体（１）の口筒部（２）に密嵌合する短筒状の装着部（１１）と、該装着部（１１）の頂壁（１２）中央に陥没形成された凹部（１３）と、該凹部（１３）の底壁（１３ａ）に垂下設され且つ内側にガイド孔（１５）が形成された長円筒状のノズル部（１４）とを有し、
該ノズル部（１４）が、底壁（１３ａ）から中心軸（Ｏ−Ｏ）に沿って下方に直線状に延びるノズル上部（１４Ａ）と、該ノズル上部（１４Ａ）に続くノズル下部（１４Ｂ）を側方に折り曲げて形成したテーパー部（１４ｂ）と、該テーパー部（１４ｂ）の一部（１４ｂ１）を開放して前記ガイド孔（１５）を露出させる開放部（１４Ｃ）とを備えることを特徴とするガイド機構付き中栓。
【請求項２】
ガイド孔（１５）の穴形状を、円形部（１５ａ）、その一部で前記円形部（１５ａ）の両側に連続する一対のストレート部（１５ｂ）及び開放部（１４Ｃ）側に設けた円弧部（１５ｃ）を有する形状とした請求項１記載のガイド機構付き中栓。
【請求項３】
凹部（１３）の底壁（１３ａ）に吸気穴（１６）を形成した請求項１又は２記載のガイド機構付き中栓。
【請求項４】
ノズル上部（１４Ａ）とノズル下部（１４Ｂ）の境目である屈曲部（１４ａ）を、ノズル部（１４）の全長の略半分の位置に形成した請求項１乃至３のいずれか一項に記載のガイド機構付き中栓。
【発明の詳細な説明】
【技術分野】
【０００１】
本発明は、芳香剤容器の吸液芯（含浸体）や液体吐出容器（ディスペンサ）の吸液パイプなどを容器本体内の所望の位置に配設するためのガイド機構付き中栓に関する。
【背景技術】
【０００２】
芳香剤を揮散させるのに使用される芳香剤容器は、芳香剤を収容した容器本体に着脱可能に固定保持するカバー体と、このカバー本体内に配置される揮散板（紙あるいはフェルト製等）と、容器本体内の芳香剤を吸い上げるとともに拡散板に染み込ませて揮散させる吸液芯とを有して構成される。（例えば特許文献１参照）。
【０００３】
また、内容液を噴霧するために使用される液体吐出容器（ディスペンサ）は、内容液を収容した容器本体と、容器本体の口筒部に着脱可能に装着される手動ポンプ式のディスペンサ機構と、手動ポンプから延びて容器本体内の内容液を吸い上げる可撓性の吸液パイプとを有して構成される。（例えば特許文献２参照）。
【先行技術文献】
【特許文献】
【０００４】
【特許文献１】特開２００６−３６２９２号公報
【特許文献２】特開２００１−３１５７０７号公報
【発明の概要】
【発明が解決しようとする課題】
【０００５】
上記の特許文献１に記載の芳香剤容器や特許文献２に記載の液体吐出容器では、使用期間や使用回数に応じて容器本体内の内容液が減少して行くことになるが、内容液の残量が少なくなったときにも最後まで効率良く使い切ることができることが好ましい。
【０００６】
しかし、特許文献１に記載の芳香剤容器では、吸液芯が容器本体の口筒部から底面の中央部にかけて直線状に設置された構成であるため、容器本体の底部周縁部近傍に溜まっている内容液を上手く吸い上げることは困難である。特に、凹凸を有する底面の隅部に残留した内容残液を最後まで使い切ることができないという問題がある。
【０００７】
この点、特許文献２に記載の液体吐出容器では、製造工程中の吸液チューブを容器本体の口筒部に挿入する段階において、別途専用のガイド板で誘導案内するときに吸液チューブを湾曲させ、その先端部を容器本体の底部の特定の隅に傾斜配置させるようにした構成であるので、底面の隅部に残留した内容残液を最後まで使い切ることが可能となっている。
【０００８】
しかしながら、特許文献２に示すものでは、挿入後の吸液チューブが中心側に戻らないように傾斜姿勢を維持する必要があり、そのためには吸液チューブの先端部が容器本体の底部の凹凸に掛止によって保持されるように吸液チューブの長さ寸法を予め長めに設定しておく必要があり、製造コストを低廉化し難いという問題がある。しかも、使用者が家庭内において内容液の詰め替え等の作業を行う際には専用のガイド板を用いることができない。このため、詰め替え作業時に吸液チューブを容器本体内に再挿入する場合には、吸液チューブの先端部を底部の特定の隅に再配置させることが難しいという問題がある。
【０００９】
本発明は、上記した従来技術における問題点を解消すべく、簡単な構成により、液吸い上げ用の吸液芯や吸液パイプなど吸液部材の先端を所望の方向に、即ち容器本体内の底部周縁部に向けて配置することを可能とし、もって本体容器内の底部周縁部に残留する内容液を最後まで効率良く使い切れるようにしたガイド機構付き中栓を創出することを課題とする。
【課題を解決するための手段】
【００１０】
上記課題を解決するための手段のうち、本発明の主たる構成は、
内容液を吸い上げる吸液部材を誘導して容器本体内に導くガイド機構付き中栓であって、容器本体の口筒部に密嵌合する短筒状の装着部と、装着部の頂壁中央に陥没形成された凹部と、凹部の底壁に垂下設され且つ内側にガイド孔が形成された長円筒状のノズル部とを有し、ノズル部が、底壁から中心軸に沿って下方に直線状に延びるノズル上部と、このノズル上部に続くノズル下部を側方に折り曲げて形成したテーパー部と、このテーパー部の一部を開放してガイド孔を露出させる開放部（１４Ｃ）とを備えることを特徴とする、と云うものである。
【００１１】
本発明の主たる構成であるガイド機構付き中栓は、吸液芯又は吸液パイプなどからなる吸液部材をガイド孔に挿入させてノズル部内を挿通さることにより、吸液部材の先端を屈曲したノズル部の形状に沿って所望の方向に誘導し得る。
【００１２】
また本発明の他の構成は、請求項１記載の発明に、ガイド孔の穴形状を、円形部、その一部で円形部の両側に連続する一対のストレート部及び開放部側に設けた円弧部を有する形状とした、との構成を加えたものである。
【００１３】
上記構成では、金型を使用した射出成形の際に、ガイド孔の内周面のうち、開放部に隣接する縁部への肉薄部の形成防止を達成し得る。
【００１４】
また本発明の他の構成は、請求項１又は２記載の発明に、凹部の底壁に吸気穴を形成した、との構成を加えたものである。
【００１５】
上記構成では、外部から容器本体内へのエアー流入を確保し得る。
【００１６】
さらに本発明の他の構成は、請求項１乃至３のいずれかに記載の発明に、ノズル上部とノズル下部の境目である屈曲部を、ノズル部の全長の略半分の位置に形成した、との構成を加えたものである。
【００１７】
上記構成では、ノズル部がその全長の略１／２の位置で屈曲する構成となり、吸液部材の先端が必要以上に側方に広がることを防止し得る。
【発明の効果】
【００１８】
本発明は、上記した構成となっているので、以下に示す効果を奏する。
【００１９】
本発明の主たる構成においては、吸液芯又は吸液パイプなど吸液部材の先端を屈曲したノズル部の形状に沿って容器本体の底部周縁部に配設することができるため、特に容器本体の底部周縁部近傍に残留している内容液を最後まで効率良く使い切ることができる。
【００２０】
しかも、吸液部材は、ノズル部の形状に基づいて湾曲状に形付けられるため、例え吸液部材の先端が容器本体の底部に届かない構成であっても吸液部材自体が容器本体の中心側に戻されることがない。このため、吸液部材の長さ寸法を必要以上に長くする必要がないので、製造コストの高騰を抑えることができる。また
家庭内において詰め替えを行った後においても、吸液部材を容器本体の底部周縁部に配置することができる。
【００２１】
また本発明の主たる構成に、ガイド孔の穴形状を、円形部、その一部で円形部の両側に連続する一対のストレート部及び開放部側に設けた円弧部を有する形状としたとの構成を加えたものでは、金型を使用した射出成形時に、ガイド孔の内周面のうち、開放部に隣接する縁部近傍に肉薄部が形成されること及び縁部先端そのものが肉薄状に形成されることがなくなるため、吸液部材をガイド孔内に挿入したときに削れた肉薄部や縁部先端自体が落下し、内容液内に混入するような不具合の発生を未然に防止することができる。
【００２２】
また上記請求項１又は２記載の発明に、凹部の底壁に吸気穴を形成したとの構成を加えたものでは、外部から容器本体内へのエアー流入を確保し得るため、吸液部材を利用した内容液の吸い上げをスムーズに行うことができる。
【００２３】
さらに上記請求項１乃至３のいずれかに記載の発明に、ノズル上部とノズル下部の境目である屈曲部を、ノズル部の全長の略半分の位置に形成したとの構成を加えたものでは、ノズル部はその全長の略１／２の位置で屈曲する構成となるため、吸液部材の先端が必要以上に側方に広がることがなくなるため、吸液部材自体の容器本体への挿入を容易且つ確実に行うことができるようになる。
【図面の簡単な説明】
【００２４】
【図１】本発明のガイド機構付き中栓の実施例を示す斜視図である。
【図２】図１のガイド機構付き中栓を上方から見た状態を示す斜視図である。
【図３】図１に示すガイド機構付き中栓の断面図である。
【図４】図３のＩＶ−ＩＶ線にて切断した状態を示すガイド機構付き中栓のノズル下部を示す斜視図である。
【図５】図３のＶ−Ｖ線にて切断した状態を示すガイド機構付き中栓のノズル下部を示す斜視図である。
【図６】ガイド機構付き中栓のノズル部の好ましくない例を示す図５同様の斜視図である。
【図７】ガイド機構付き中栓の使用例として、容器本体に装着した状態の一例を示す半断面図である。
【発明を実施するための形態】
【００２５】
以下、本発明の実施の形態について図面を参照しつつ説明する。
【００２６】
図１に示すガイド機構付き中栓（以下、単に「中栓」という。）１０は、短筒形状の装着部１１と、この装着部１１の頂壁１２の中央に陥没形成された凹部１３と、この凹部１３の底壁１３ａから中心軸Ｏ−Ｏに沿って下垂設されたノズル部１４とを有し、合成樹脂材料を射出成型することにより形成されている。
【００２７】
装着部１１の外側面には複数の環状リブ１１ａが周設されている。ノズル部１４は長円筒状であり、その内側にはガイド孔１５が設けられている。凹部１３の底壁１３ａで且つガイド孔１５から側方となる位置には、凹部１３の底壁１３ａを上下方向に貫通する吸気穴１６が穿設されている。
【００２８】
図３に示すように、ノズル部１４の全長の略半分の位置近傍には屈曲部１４ａが形成され、この屈曲部１４ａよりも上側がノズル上部１４Ａであり、下側がノズル下部１４Ｂである。ノズル上部１４Ａは中心軸Ｏ−Ｏに沿って下方に直線状に延び、ノズル下部１４Ｂは中心軸Ｏ−Ｏに対して一方（図３では右方向）に僅かな屈曲角度θを有して折れ曲がるテーパー部１４ｂとして形成されている。
【００２９】
図３に破線で示すように、このテーパー部１４ｂには、屈曲の下流側となる一部１４ｂ１を部分的に開放することにより形成した開放部１４Ｃが設けられており、この開放部１４Ｃを介して内側のガイド孔１５が露出する構成となっている。
【００３０】
このように、ノズル下部１４Ｂのテーパー部１４ｂに開放部１４Ｃを形成することにより、射出成型時におけるコア金型の無理抜きを不要として離型を容易にすることが可能となっている。
【００３１】
ここで、図２及び図４に示すように、ガイド孔１５の孔形状を円形のみの構成とはせず、円形部１５ａ、その一部で円形部１５ａの両側に連続する一対の直線状のストレート部１５ｂ及び開放部１４Ｃ側に設けた円弧部１５ｃとを有する複合的な形状としている。なお、円弧部１５ｃは図４に示すように円形部１５ａよりも大きな曲率半径を有して形成したものである。
【００３２】
ガイド孔１５の孔形状を上記のような複合的な形状とした理由は、図６に示すようなガイド孔１５の孔形状に円形のみから構成される円形部１５ｄを採用した場合には、一対の金型を用いて射出成型した際に、ガイド孔１５の内周面１５Ａのうち、開放部１４Ｃに隣接する縁部Ｑが鋭角に形成されるため、この縁部Ｑ近傍にバリ等からなる薄肉部が形成され易くなり、あるいは縁部Ｑ先端そのものが肉薄状に形成されることがあり、吸液芯又は吸液パイプなどの吸液部材をガイド孔１５に挿入したときに、薄肉部や縁部Ｑの先端自体が削れて落下し、容器本体内の内容液中に混入する虞れがあることを考慮したものである。
【００３３】
すなわち、図２、図４に示すように、ガイド孔１５の孔形状を円形部１５ａ、ストレート部１５ｂ及び円弧部１５ｃを有する複合的な形状を採用すると、図５に示すように縁部Ｑを略直角とすることが可能となる。このため、この縁部Ｑ近傍に薄肉部が形成されること及び縁部Ｑ自体が肉薄状に形成されることを抑制することができる。よって、この中栓１０では、吸液芯又は吸液パイプなどの吸液部材をガイド孔１５内に挿入したときに、縁部Ｑ近傍の薄肉部や縁部Ｑ先端自体が落下して容器本体内の内容液中に混入するという不具合の発生を未然に防止することが可能となっている。
【００３４】
このようには本発明では、射出成型時にコア金型の無理抜きを不要とすることによる離型の容易化と、容器本体内への縁部Ｑ近傍の薄肉部や縁部Ｑ先端自体の混入防止とを同時に達成することが可能となっている。
【００３５】
次に、図７を参照しつつ上記構成からなる中栓１０の使用例について説明する。
【００３６】
図７に破線で示すのが、吸液芯又は吸液パイプなどからなる吸液部材Ｐである。吸液部材Ｐとしての吸液芯は、毛細管現象を利用して内容液（芳香剤）を吸い上げるものであり、例えば不織布、フェルト等よりなる円柱長尺状の部材で形成されている。また吸液部材Ｐとしての吸液パイプは、例えば手動ポンプが発生した吸引力を利用して内容液を吸い上げるものであり、可撓性を備えた合成樹脂製の円筒長尺状の部材で形成されている。
【００３７】
先ず、吸液部材Ｐをガイド孔１５内に挿入して中栓１０に取り付ける。
【００３８】
吸液部材Ｐの先端Ｐ１をガイド孔１５に挿入すると、吸液部材Ｐはガイド孔１５に沿ってすなわちノズル部１４の形状に沿って押し込まれる。ノズル下部１４Ｂはノズル上部１４Ａとの境目である屈曲部１４ａの位置にて屈曲する構成である。このため、吸液部材Ｐの挿入量が深くなるほどに、吸液部材Ｐの先端部を徐々に中心軸Ｏ−Ｏから離れる側方の位置に配設することができる。
【００３９】
次に、このような吸液部材Ｐを備えた中栓１０を容器本体１の口筒部２に装着する。中栓１０はその装着部１１が容器本体１の口筒部２の内側に挿入されるが、このとき装着部１１の外周面に周設された環状リブ１１ａが口筒部２の内壁に周接して密嵌合することになる。同時に、図７に示すように吸液部材Ｐが傾斜姿勢に設定されるので、吸液部材Ｐの先端Ｐ１を容器本体１の底部３の周縁部に配置することができる。このように、中栓１０は、吸液部材Ｐの先端を容器本体１の底部３の周縁部に誘導するガイド機構としての機能を有している。
【００４０】
しかも、口筒部２上において装着部１１を周方向に回して位置ずれさせることにより、吸液部材Ｐの先端Ｐ１の向きを自由に変えることも可能である。
【００４１】
吸液部材Ｐは、ノズル上部１４Ａ、ノズル下部１４Ｂ、屈曲部１４ａ及び開放部１４Ｃなど中栓１０のノズル部１４の形状に基づき形付けられるため、例え吸液部材Ｐの先端Ｐ１が容器本体１の底部３に接触しない場合であっても先端Ｐ１を底部３の周縁部に配設する傾斜姿勢を維持することができる。よって、容器本体１内の内容液の残量が少なくなっても、内容液を最後まで効率良く使い切ることができる。また家庭内において内容液の詰め替えを行った後においても、吸液部材Ｐを容器本体１の底部３の周縁部に容易に再配置することができる。
【００４２】
なお、この中栓１０を装着した芳香剤容器や液体吐出容器（ディスペンサ）では、容器本体１内の内容液は吸液部材Ｐを介して吸い上げられるが、中栓１０は凹部１３の底壁１３ａに吸気穴１６が穿設されており、エアーはこの吸気穴１６を通じて自在に流入することができるため、内容液をスムーズに吸い上げることが可能である。
【００４３】
以上、実施例に沿って本発明の構成とその作用効果について説明したが、本発明の実施の形態は上記実施例に限定されるものではない。
【００４４】
例えば、上記実施例では、屈曲部１４ａをノズル部１４の全長の略半分の位置に形成した場合を示して説明したが、本発明はこれに限られるものではなく、容器本体１自体の大きさ（高さ寸法又は幅寸法）に応じて適宜変更することが可能である。例えば、高さ寸法や横幅の大きな容器本体１の場合には、吸液部材Ｐの先端Ｐ１は中心軸Ｏ−Ｏからより離れた位置に配置する必要が生じるが、屈曲部１４ａをノズル部１４の上部寄りの位置に設ける構成とすることで配置可能となる。この構成では、屈曲部１４ａの屈曲角度θを大きくする必要がないので、ガイド孔１５に対する吸液部材Ｐの挿通を容易に行うことができる。
【００４５】
ただし、上記実施例のように屈曲部１４ａをノズル部１４の全長の略半分の位置に形成した構成では、吸液部材Ｐの先端Ｐ１が中心軸Ｏ−Ｏから必要以上に離れることを防止し得るので、中栓１０を口筒部２に装着する際における吸液部材Ｐの挿入を容易とすることができる点で好ましい。
【産業上の利用可能性】
【００４６】
本発明のガイド機構付き中栓は、単なる中栓の分野だけでなく、中栓を使用する芳香剤容器や液体吐出容器（ディスペンサ）などの分野における用途展開をさらに広い領域で図ることができる。
【符号の説明】
【００４７】
１    ：  容器本体
２    ：  口筒部
３    ：  底部
１０  ：  中栓
１１  ：  装着部
１１ａ：  環状リブ
１２  ：  頂壁
１３  ：  凹部
１３ａ：  底壁
１４  ：  ノズル部
１４Ａ：  ノズル上部
１４Ｂ：  ノズル下部
１４Ｃ：  開放部
１４ａ：  屈曲部
１４ｂ：  テーパー部
１５  ：  ガイド孔
１５Ａ：  内周面
１５ａ：  円形部
１５ｂ：  ストレート部
１５ｃ：  円弧部
１６  ：  吸気穴
Ｏ    ：  中心軸
Ｐ    ：  吸液部材
Ｐ１  ：  吸液部材の先端
Ｑ    ：  ガイド孔内周面の縁部
【図１】
2014231382.tif 000003
【図２】
2014231382.tif 000004
【図３】
2014231382.tif 000005
【図４】
2014231382.tif 000006
【図５】
2014231382.tif 000007
【図６】
2014231382.tif 000008
【図７】
2014231382.tif 000009